(57)【特許請求の範囲】
【請求項１】
床基版と、前記床基版上の床材と、間仕切り壁と、天井板と、天井板受け桟とを備えている、間仕切り壁構造であって、
前記床材が複数の貫通孔を有しており、前記各貫通孔が、前記間仕切り壁の長さ方向に、互いに離間して設けられており、前記各貫通孔の間に、床貫通開口が設けられており、前記間仕切り壁の下端部が前記各貫通孔及び前記床貫通開口を覆うように前記床材上に設けられており、前記間仕切り壁が、一対の壁板と前記各壁板の間に設けられる下枠材及び上枠材とを有しており、前記貫通孔内の少なくとも一部に、１０〜１５０Ｈｚの固有振動数を有する壁支持材が設けられており、前記壁支持材が、ゴム弾性体、プラスチック弾性体及びバネ弾性体からなる群より選ばれた少なくとも1種の弾性体からなり、前記壁支持材が前記床基版によって支持されており、前記壁支持材が前記下枠材を支持しており、前記上枠材上に前記天井板が設けられており、前記天井板上に前記天井受け桟が設けられており、前記上枠材が前記天井板受け桟に固定されていることを特徴とする、間仕切り壁構造。
【請求項２】
前記間仕切り壁構造を垂直断面で見た時、前記床基版上に、複数の床支持材が設けられており、前記各床支持材が互いに離間しており、前記床材が前記各床支持材によって支えられており、前記各床支持材が板状材と複数の衝撃緩衝部材とを備えており、前記板状材が、前記床基版及び前記床材の少なくとも一方に接しており、前記各衝撃緩衝部材が前記板状材と前記床材との間又は前記板状材と前記床基版との間に配置されており、前記各衝撃緩衝部材が互いに離間しており、前記各衝撃緩衝部材がバネ特性を有しており、前記バネ特性が、線形バネ特性、プログレッシブバネ特性、デグレッシブバネ特性及び定荷重バネ特性からなる群より選ばれており、前記複数の衝撃緩衝部材が、少なくとも２種の前記バネ特性を有しており、前記壁支持材と前記下枠材又は前記床基版との間に、前記下枠材を支えるか又は前記床基版に支えられる台板と、前記台板を支えるか又は前記台板に支えられる支持棒とが設けられており、前記支持棒によって前記壁支持材と前記台板との間の高さが調節されていることを特徴とする、請求項１記載の間仕切り壁構造。
【請求項３】
前記支持棒が保護カバーによって周囲を囲着されていることを特徴とする、請求項２記載の間仕切り壁構造。
【請求項４】
前記壁支持材が、壁用板状材と複数の壁用衝撃緩衝部材とを備えており、前記壁用板状材が、前記床基版及び前記下枠材の少なくとも一方に接しており、前記各壁用衝撃緩衝部材が前記壁用板状材と前記下枠材との間又は前記壁用板状材と前記床基版との間に配置されており、前記各壁用衝撃緩衝部材が互いに離間しており、前記各壁用衝撃緩衝部材がバネ特性を有しており、前記バネ特性が、線形バネ特性、プログレッシブバネ特性、デグレッシブバネ特性及び定荷重バネ特性からなる群より選ばれており、前記複数の壁用衝撃緩衝部材が、少なくとも２種の前記バネ特性を有していることを特徴とする、請求項２又は３記載の間仕切り壁構造。
【請求項５】
前記壁支持材が、ゴム又はプラスチックのソリッド及び発泡体からなる群より選ばれた少なくとも1種の物質から形成されており、前記支持棒の一端又は両端が縮径部を有しており、前記縮径部が前記壁支持材又は前記台板に挿入され固定されていることを特徴とする、請求項２又は３記載の間仕切り壁構造。
【請求項６】
前記壁支持材が、ゴム又はプラスチックのソリッド及び発泡体からなる群より選ばれた少なくとも1種の物質から形成されており、前記支持棒の一端又は両端に、前記支持棒の径よりも大きな径を有するストッパー部が設けられており、前記支持棒が、前記ストッパー部まで前記壁支持材又は前記台板に挿入されて固定されていることを特徴とする、請求項２又は３記載の間仕切り壁構造。
【請求項７】
前記上枠材と前記天井板との間、前記下枠材と前記台板との間及び前記壁支持材と前記床基版との間の少なくとも１箇所に、振動絶縁材が設けられていることを特徴とする、請求項２〜６のいずれか一項記載の間仕切り壁構造。
【発明の詳細な説明】
【０００１】
【発明の属する技術分野】
本発明は、建築物の床上に、間仕切り壁が固定支持され、床上空間が仕切られている、間仕切り壁構造に関する。
【０００２】
【従来の技術】
間仕切り壁は、床基版にボルトを立てて、そこに間仕切り壁下枠をナットで固定したり、予め床を形成しておいて、床に間仕切り壁下枠を固定することによって設置されている。
【０００３】
【発明が解決しようとする課題】
本発明者は、建築物が床衝撃を受けた時、特に重量床衝撃音が、床基版単独で示す重量床衝撃音の値よりも悪化することを見出した。
【０００４】
また、本発明者は、その傾向が、戸建住宅や低層集合住宅の様な柔構造建築物で強く現われることを見出した。
【０００５】
本発明者の研究によれば、前述した間仕切り壁の固定方法は、何れも、間仕切り壁による重量床衝撃音の悪化を防止することが出来なかった。
【０００６】
本発明は、重量床衝撃音が著しく低減される間仕切り壁構造を得ることを課題とする。
また、本発明は、間仕切り壁の高さ調整が容易で、高さ調整後の変位が防止され、ガタツキやゆるみによる異音の発生が防止される、間仕切り壁構造を得ることを課題とする。
【０００７】
【課題を解決するための手段】
本発明は、床基版と、前記床基版上の床材と、間仕切り壁と、天井板と、天井板受け桟とを備えている、間仕切り壁構造であって、前記床材が複数の貫通孔を有しており、前記各貫通孔が、前記間仕切り壁の長さ方向に、互いに離間して設けられており、前記各貫通孔の間に、床貫通開口が設けられており、前記間仕切り壁の下端部が前記各貫通孔及び前記床貫通開口を覆うように前記床材上に設けられており、前記間仕切り壁が、一対の壁板と前記各壁板の間に設けられる下枠材及び上枠材とを有しており、前記貫通孔内の少なくとも一部に、１０〜１５０Ｈｚの固有振動数を有する壁支持材が設けられており、前記壁支持材が、ゴム弾性体、プラスチック弾性体及びバネ弾性体からなる群より選ばれた少なくとも1種の弾性体からなり、前記壁支持材が前記床基版によって支持されており、前記壁支持材が前記下枠材を支持しており、前記上枠材上に前記天井板が設けられており、前記天井板上に前記天井受け桟が設けられており、前記上枠材が前記天井板受け桟に固定されている、間仕切り壁構造に係るものである。
【０００８】
本発明では、複数の前記貫通孔が、前記間仕切り壁の長さ方向に、互いに離間して設けられており、前記間仕切り壁の下端部が前記各貫通孔を覆うように前記床材上に設けられている。また、本発明では、前記各貫通孔の間に、床貫通開口が設けられている。
【０００９】
本発明者は、重量床衝撃音に与える間仕切り壁の悪影響を抑え、本来の床基版の性能を保持するため、種々の間仕切り壁構造を検討した。
【００１０】
多くの実験の結果、本発明者は、床基版と間仕切り壁の下枠材との間又は間仕切り壁の直下の床材と床基版との間に、所定の壁支持材を介在させ、かかる壁支持材の固有振動数を、１０〜１５０Ｈｚとすることで、重量床衝撃音が著しく低減されることを見出した。
【００１１】
また、本発明者は、柔構造建築物で間仕切り壁の悪影響を排除すれば、剛構造でも間仕切り壁の悪影響を排除する事ができることを突き止めた。
【００１２】
本発明は、本発明者が、間仕切り壁の悪影響による重量床衝撃音の増悪を解明し、かかる間仕切り壁の悪影響を排除することによって、床本来の防音性能が保持されることに基づくものである。
【００１３】
本発明によれば、床基版と間仕切り壁の下枠材との間又は間仕切り壁の直下の床材と床基版との間に、１０〜１５０Ｈｚの固有振動数を示す所定の壁支持材を介在させているので、間仕切り壁の重量床衝撃音に与える悪影響が抑えられ、重量床衝撃音が著しく低減する。
【００１４】
本発明は、重量床衝撃音に悪化影響を与えない間仕切り壁の支持構造及び支持方法に関する発明であり、その利用分野は、建築物全般にわたる。
【００１５】
【発明の実施の形態】
本発明の実施の形態を説明する。
以下、本発明の構成部材を説明すると共にその作用を説明する。
本発明でいう床基版とは、床躯体そのものが含まれる。床躯体は、高層集合住宅等では、一般的なＲＣ床版、ボイドスラブ、ワッフルスラブ、戸建住宅や低層集合住宅では、床梁間に架設されるＡＬＣ床版、ＰＣ床版、押出セメント床版、根太と板材を組み合わせた木質床パネル等を例示する事が出来る。
【００１６】
中高層集合住宅は、一般的にＲＣ造であり、現場打設されたコンクリートを金鏝押えする為、必然的に、工場生産される床版と比べると不陸が生じてしまう床版である。
【００１７】
かかる床基版は、現場打ちコンクリートを、例えば、その表面を金鏝押さえした場合には、不陸が比較大となるが、床厚を十分にすれば、一般的に、重量床衝撃音に対して良い性能を示す。
【００１８】
また、かかる床基版は、工場生産される一定寸法の床基版が少なくないので、特に二重床等では、高さ調整が不要となるメリットがある。しかし、ＡＬＣ床版、ＰＣ床版、押出セメント床版、木床パネル等は、ＲＣ床版に比べ軽量なため、重量床衝撃音に劣る傾向がある。
【００１９】
本発明にかかる床材は、床基版に直接設けてよく、床基版に床支持材を介在させて設けてもよい。かかる床材には、床下地、床仕上材等が含まれ、これらを含む各種板状材を積層して形成することができる。
【００２０】
床下地材は、パーチクルボード、合板、遮音シート、石膏ボード、鉄板等を組合せて、ビスや接着剤で一体化して曲げ剛性を高くすればよい。床材は、床下地材の上に、床仕上材をビス、釘、接着剤等で一体化して形成する。材質は、床材に一般的に使用されている物であれば何でも良い。
【００２１】
床仕上げ材は、重量床衝撃音にほとんど関係なく、軽量床衝撃音は床支持材や本発明にかかる壁支持材によって十分低減でき、特に、防音仕様のものを使う必要はない。
【００２２】
重量床衝撃音は、床基版本体の性能に左右されが、二重床の様に、床基版上に床支持材で浮かせた床は、床仕上げ材によって、重量床衝撃音が若干改善される傾向がある。その反面、間仕切り壁を設置した時の重量床衝撃音の悪化傾向は、床仕上げ材によってより一層大きく影響される。
【００２３】
本発明にかかる壁支持材が、床基版と間仕切り壁の下枠との間に設けられる場合、かかる床材には貫通孔が設けられる。
【００２４】
かかる貫通孔は、間仕切り壁の下端部が挿入できる幅で、溝状に形成することができる。また、間仕切り壁の下端部を床材上に固定する場合には、間仕切り壁の下端部で覆われるような複数の孔を、間仕切り壁の長さ方向に互いに離間させて設けることができる。
【００２５】
本発明にかかる壁支持材を、床材の貫通孔内の少なくとも一部に設置し、床材で間仕切り壁を支える場合には、貫通孔は間仕切り壁の厚さよりも小さくする事が必要である。
【００２６】
本発明では、二重床に於いて、壁支持材を設ける貫通孔とは別に、貫通孔の間に、床貫通口を設けることができる。
【００２７】
かかる床貫通口は、重量床衝撃音を改善することができ、間仕切り壁による重量床衝撃音の悪化を改善する。
【００２８】
壁支持材を設置した貫通孔と貫通孔との間に床貫通口を設け、開口した状態にする事により、重量床衝撃を受けた時の床下空間の空気の逃げ道が出来、重量床衝撃音が改善できる。かかる場合、特に問題となる６３Ｈｚや１２５Ｈｚという低周波音を有効に低減することができる。
【００２９】
この時、開口のまま残す事に抵抗があれば、網状物等の通気性のある物で開口部をカバーする事で、虫等の床下からの移動を防止しても、重量床衝撃音の低減効果は変わらない。
【００３０】
床貫通口の形状及び寸法等は、特に制限されず、貫通孔と同様のものでもよいが、開口は、間仕切り壁厚よりも小さく、出来れば、下枠材の幅以内にし、開口数も、壁支持材の間で、１〜３個と残しておくのがよい。かかる状態で床貫通口を設ければ、床材強度を損なうことなく、重量床衝撃音を効率的に低減できるからである。
【００３１】
また、床貫通口の開口面積は、１０ｍｍ径以上の大きさがよい。この大きさであれば空気流れによる異音が発生することもない。
【００３２】
さらに、床貫通口の開口部はより広い部分に分散した方が良いので、間仕切り壁の下部の一部だけでなく、全長にわたって点在させるとよい。
【００３３】
なお、床貫通口は、１ケの穴が大きすぎたり、穴数が多すぎると、間仕切りの欠陥となるだけでなく、間仕切り壁の荷重での沈下も起り易くなるので、注意を要する。
【００３４】
本発明にかかる間仕切り壁は、一対の壁板とこれらの各壁板の間に設けられる下枠材及び上枠材とを有する。本発明では、かかる間仕切り壁であれば、種々の材質のものを用いることができる。
【００３５】
床上空間を仕切る間仕切り壁は、上下の枠材の他、縦枠材で骨組を作り、両側の面に石膏ボード等板材を固定したパネル状物であってよい。
【００３６】
本発明では、間仕切り壁は、下枠材に後述する壁支持材を固定し、上枠材に天井板を挟んで天井受け桟を固定する。間仕切り壁の縦枠材は、壁の柱、間柱に固定することができる。
【００３７】
本発明にかかる間仕切り壁の下枠材は、壁支持材で直接支持してもよいし、壁支持材の上に設けられた台板等で直接支持してもよく、直接的には、壁支持材の上の床材で支持してもよい。
【００３８】
本発明では、壁支持材に台板を設けて、台板と床材とを固定し、台板と間仕切り壁の下枠材とを固定支持することができる。
【００３９】
また、本発明では、間仕切り壁の壁板は、床材との間に隙間を設け、直接床の振動を間仕切り壁の壁板に入力させない様に施工上の注意が必要である。間仕切り壁の隙間は、幅木でカバーすれば美観（感）上の問題は解消できる。
【００４０】
本発明にかかる間仕切り壁の上枠材には、その上に天井板が設けられており、その天井板の上には、天井受け桟が設けられている。間仕切り壁の上枠材は、天井受け桟に固定される。
【００４１】
本発明では、間仕切り壁の上枠材と天井板との間、間仕切り壁の下枠材と台板との間及び壁支持材と床基版との間の少なくとも１箇所に、振動絶縁材を設ける事で、騒音低減効果をより一層高めることができる。
【００４２】
かかる振動絶縁材は、特に制限されず、ゴムやプラスチックのソリッド、発泡体、それ等の組合せを使えばよく、他にも、不織布、フェルト等の繊維質のもの等も好適な例として用いられる。
【００４３】
次に、本発明にかかる間仕切り壁の支持を行う壁支持材について説明する。
本発明にかかる壁支持材は、床基版と間仕切り壁の下枠との間又は間仕切り壁の直下の床材と床基版との間に設置される。かかる壁支持材は、１０〜１５０Ｈｚの固有振動数を有し、ゴム弾性体及びバネ弾性体からなる群より選ばれた少なくとも１種の弾性体からなる。
【００４４】
本発明では、かかる壁支持材によって、間仕切り壁の重量床衝撃音に与える悪影響が抑えられ、重量床衝撃音が著しく低減する。
【００４５】
壁支持材の固有振動数が１０Ｈｚ未満の時は、１２５Ｈｚでの改善量が不足すると共に、変位量が大きくなり好ましくない。逆に、固有振動数が１５０Ｈｚを超えると、６３Ｈｚの改善量が不足する。
【００４６】
かかる壁支持材は、ゴム硬度が２０（ＪＩＳ−Ｋ−６２５３）以下の硬質ゴム、軟質発泡体及び繊維状物質からなる群より選ばれた少なくとも１種の材質を組み合わせることで、２５０Ｈｚ以上の騒音低減に有効となるだけでなく、予め圧縮され易くなり、高さ調節を不要とする効果も生じ、施工簡略化にも役立ち、床鳴り防止にも役立つ。
【００４７】
壁支持材は、ゴムを用いるゴム弾性体やプラスチック弾性体、金属バネ、空気バネ、液体封入バネ等を用いるバネ弾性体を、単体若しくは併用したものである。
【００４８】
本発明では、ゴム弾性体として、種々のゴムを、単独若しくは併用してソリッド、発泡体又はそれらの複合体として用いることができる。ゴムとしては、ＮＲ、ＩＲ、ＳＢＲ、ＮＢＲ、ＢＲ、ＣＲ、１１Ｒ、ＥＰＴ、ポリノルボーネンゴム、ウレタンゴム、多硫化ゴム、クロルスルホン化ポリエチレン、塩素化ポリエチレン、エピクロルヒドリンゴム、アクリルゴム、シリコンゴム、フッ素ゴム等のゴムや各種再生ゴムを例示することができる。
【００４９】
また、本発明では、ゴム弾性体のゴムとして、ゴム類似物質を用いることができる。かかるゴム類似物質としては、ハードセグメントをスチレン、ソフトセグメントをポリブタジエン、ポリイソプレン、水素添加ポリブタジエンとしたポリスチレン系熱可塑性エラストマー（以下ＴＰＥと略記する）、ハードセグメントをポリエチレン又はポリプロプレンとし、ソフトゼグメントをエチレンプロピレン共重合ゴムとしたポリオレフィンＴＰＥ、ハードセグメント、ソフトセグメント共にポリ塩化ビニルとしたポリ塩化ビニル系ＴＰＥ、ハードセグメントをポリウレタン樹脂ソフトセグメントをポリエーテル又はポリエステエル系ＴＰＥ、ハードセグメントをポリアミド、ソフトセグメントをポリエーテル又はポリエステルとしたポリアミド系ＴＰＥ、ハードセングメントをシンジオタクチック−１，２−ブタジエン、ソフトセグメントをアタクチック−１，２−ブタジエンとしたＴＰＥ、常温反応性液状ゴムとしてポリブタジエン、クロロプレン、イソプレン、スチレンブタジエン、アクリロニトリルブタジエン等の主鎖骨格に末端反応基を１分子当り２ヶ以上有するポリマーを前記末端反応基と反応性を有する化合物を硬化反応して得られたゴムが例示できる。
【００５０】
本発明にかかるゴムは、ゴム粉末やポリマー粉末と併用する事により、ゴムの動特性を改善する事もでき、コスト面でも有利になる。
【００５１】
本発明にかかるプラスチック弾性体は、熱可塑性樹脂、熱硬化性樹脂、エンジニアリング樹脂に大別され、熱可塑性樹脂としては、ポリエチレン、ポリプロピレン、ポリ−４−メチルポンテン−１、アイオノマー、塩化ビニル、ポリ塩化ビニリデン、ポリスチレン、アクリロニトリル−スチレン共重合体、アクリロニトリル−スチレン共重合体へのポリブタジエンの混合物（ＡＢＳ樹脂）、メタクリル樹脂、ポリビニルアルコール、エチレン酢酸ビニル共重合体、セルロースアセテートプラスチック等を例示できる。
【００５２】
熱硬化性樹脂としては、フェノール樹脂、ユリア・メラミン樹脂、エポキシ樹脂、ポリウレタン樹脂、不飽和ポリエステル樹脂、シリコン樹脂等を例示することができる。
【００５３】
エンジニアリング樹脂としては、ポリアミド樹脂、ポリアセタール樹脂、ポリカーボネート樹脂、ポリフェニレンエーテル、熱可塑性ポリエステル樹脂、ポリテトラフルオロエチレン、ポリスルホン、ポリエーテルイミド、ポリエーテルスルホン、ポリエーテルケトン、ポリアミドイミド、ポリイミド等を例示できる。
【００５４】
空気バネは、空気を封入したフィルムと、常温反応性液状ゴムとの併用物や空気封入ゴムを例示することができる。液体封入ゴムは、水、高級アルコール等をゴム内に封入したゴムをいい、空気バネと共に固有振動数を低減させる効果がある。
【００５５】
金属バネは、コイルバネ、皿バネ、重ねバネ、バネ鋼等の上下に、ゴムやプラスチックを部分的に設けてバネ鋼等のバネ特性を利用するものが例示できる。
【００５６】
前記のゴム、金属バネ、空気バネ、液体封入バネ等は、単体若しくは併用して用い、線形バネ特性、プログレッシブバネ特性、デグレッシブバネ特性、定荷重バネ特性等を適宜使用し、併用して緩衝性、変位量を調整し、固有振動数を１０〜１５０Ｈｚに設定する事により、間仕切り壁による重量床衝撃音の悪化を防止することができる。
【００５７】
特に、金属バネは、線形性や温度変化による影響を受け難い長所があるが、減衰要素が少ない欠点を有するので、他種のゴムや空気バネ、液体封入バネの制振要素を加える事で良好な特性を付与する事ができる。
【００５８】
固有振動数（ｆ０）の設定は、通常、外力周波数（ｆ）の１／３に選べばよいので、ｆ／ｆ０≒３となる。壁支持材は、間仕切り壁重量と、それを支持する壁支持材の個数と、１個当りの設定受圧面積とにより、荷重最小値を求め、１ヶ当りの床載荷荷重設定値と間仕切り壁荷重の合計を荷重最大値として静バネ定数を求め、その時のヒステリシス曲線より対角線の勾配を動的係数とすればよい。また、振動伝達率（τ）は、損失係数をηとすると次式で示される。
【数１】
0003607593.tif 000002
【００５９】
ここで、損失係数は大きいほど、共振ピークは抑制されるが、防振域の振動伝達特性は悪化するので、０．０５≦η≦０．５の損失係数が良い。０．０５未満の損失係数では、緩衝材自体の制振性能が不足し、制動減衰が遅くなるため、好ましくなく、損失係数が０．５を越えると、前記の通り振動伝達特性が却って悪化するので好ましくない。
【００６０】
壁支持材は、間仕切り壁の下部のすべてを同じ固有振動数に設定する必要はなく、複数の固有振動数の壁支持材を独立して支持することもできる。また、かかる壁支持材は、床に固定することにより、当初より圧縮応力をかけて用いることができる。
【００６１】
また、かかる壁支持材には、その上下の少なくとも一方に板状材を設け、板状材に複数の制振及びバネ要素を並列に固定したものを用いると、１つ当りの壁支持材の床基版への接地面積を増すことができ、衝撃力及び間仕切り壁荷重の分散効果を増すことができる。この場合、重量床衝撃音の悪化を抑えるだけでなく、改善もできる。
【００６２】
また、壁支持材で、上下に板状材を設けたタイプは、特に、床基版の不陸吸収効果に優れ、床基版に当接する側に、ゴムや高分子シート又はそれらの発泡体シートを積層しておく事により、より一層不陸吸収効果に優れ、床鳴り防止効果も発揮できる。また、床基版がモルタル仕上げやコンクリートの場合は、板状材による防湿効果が期待できる。
【００６３】
本発明にかかる壁支持材は、床基版上に、複数の床支持材が設けられており、各床支持材が互いに離間しており、各床支持材によって床材が支持されている二重床に用いることができる。
【００６４】
かかる床材を支える床支持材は、ゴム台座と、支柱と、台板とを備える床支持脚等、種々のものを用いることができるが、本発明にかかる壁支持材と同様のものを用いることができる。
【００６５】
通常、二重床は、床基版と床材の下面ともに高さが高いので、床支持材の上又は下、又はその上下に支柱を設けて、この支柱により高さを調整することが出来る。
【００６６】
支柱には、ゴムや高分子シートやそれ等の発泡体を積層した保護カバーが被覆され、不陸吸収、床鳴り防止、防湿を行う。
【００６７】
支柱は、木、金属、プラスチック等を使用でき、床支持材との接触面が床支持材の押圧面と同寸かそれよりやや大きい事が望ましい。
【００６８】
重量衝撃音が改善できる床支持材は、上下の少なくとも一方に板状材を設け、その板状材に、複数の制振及びバネ要素を並列に固定した物とするのがよい。
【００６９】
かかる床支持材は、１つの床支持材内で、比較的大きな板状材の面積で衝撃を受け、その板状材の下の複数の制振要素又はバネ要素に、その衝撃力が分散吸収されるので、衝撃力は、床基版に伝わる時点で大きく減衰され、その結果、重量床衝撃音を大きく改善できる。
【００７０】
制振要素及びバネ要素は、各種ゴムのリソッド、発泡体、金属バネのうち複数種類を組み合わせ、衝撃を受けて変位したり、復元したりする過程で、各々の制振要素、バネ要素の効果を使うことが望ましい。
【００７１】
本発明にかかる床支持材は、重量床衝撃音の低減に対しては、床基版に当接する床支持材の部分は、プラスチック脚よりゴム脚の方がよい。
【００７２】
本発明にかかる二重床を施工するには、床先行工法で床材を全面に施行してから間仕切り壁を設置することもでき、床後行工法により壁支持材で間仕切り壁を支えた後、床材を施工してもよい。
【００７３】
床先行工法の場合は、予め墨線で、床材上に間仕切り壁の設置位置を決める。
【００７４】
本発明にかかる壁支持材は、間仕切り壁設置位置の床材部分に、何か所か点状に又は連続させて貫通孔を設けて、かかる貫通孔の下から間仕切り壁を支えるようにする。
【００７５】
本発明にかかる壁支持材は、床支持材と同様にして、壁支持材と間仕切り壁の下枠材又は床基版との間に、下枠材を支えるか又は床基版に支えられる台板と、台板を支えるか又は台板に支えられる支持棒とを設けることができる。かかる支持棒によって壁支持材と台板との間の高さが調節される。
【００７６】
台板は、ネジ、釘、接着剤等で、床や間仕切り壁の下枠材と固定し得る材質であれば、特に制約はない。台板に好適な材質として、パーチクルボード、合板等の木質板、プラスチック板金属板等を挙げることができる。
【００７７】
また、台板は、間仕切壁下枠幅と同等又は少し小さ目であればよく、平面形状は正方形でもよいが、間仕切り壁の重量、天井受け桟の強度等を考慮して、長方形にして広い面積で受けてもよい。
【００７８】
二重床では、床基版として、一定寸法の工場生産品であるＡＬＣ床版、ＰＣ床版、押出中空セメント、床版、木質床パネル等を用いれば、完全に高さ調整は不要であり、現場打ちコンクリートの金ゴテ仕上面のような比較的不陸が大きい床基版であっても、高さ調整はほとんどの場合不要である。特に、床基版が現場打設コンクリートの場合は、床支持材に高さ調節機能を備えさせれば、床基版の不陸精度があまり問われなくなる。
【００７９】
このため、壁支持材には、高さ調節のためのネジ溝又はネジ山を有する支持棒と支持棒と螺合するネジ山又はネジ溝を有する受けナット付合板を設ける事が望ましい。
【００８０】
本発明では、支持棒には、螺合部に圧縮がかかるような厚さの保護カバーを被覆しておき、螺合部のがたつき、振動によるゆるみを防止することが望ましい。
【００８１】
つまり、二重床においては、床や壁の支持材の数が多くなる。このため、支持材の高さ調整を螺合により行う場合、調整作業時間の短縮を図り、高さ調整を容易にするため、螺合部を簡単に回せる、ゆるい設計が好ましい。
【００８２】
ところが、施行後は、螺合部を接着剤で固定しておかないと、振動によるガタツキ音やゆるみが生じてしまい、高さ調整が狂い、床鳴り等の不具合が生じる。
【００８３】
そのため、螺合部には、接着剤による固着を行うのが好ましい。しかし、螺合部の数が多いため、固着忘れや、施行手間が問題となる。
【００８４】
本発明にかかる支持棒の保護カバーは、螺合部に保護カバーの圧縮力が作用するため、がたつき、ゆるみが生じない。
【００８５】
本発明にかかる保護カバーは、ゴム、プラスチック等のソリッド、発泡体、それ等の組み合せた材質で、支持棒の外周に囲着する形状であればよい。
【００８６】
かかる保護カバーは、予定設定高さに合せて、多小長くすることにより、ナット部や壁支持材を押し上る力が働き、保護カバーが圧縮され、螺合部のガタツキやゆるみを防止することができる。保護カバーの他の効果としては、貫通孔と支持棒の擦れによる床鳴りの防止、支持棒の防錆効果もある。
【００８７】
なお、かかる保護カバーは、床基版によってはネジ部を有する場合があり、このときの螺合部のガタツキ等を防止することもできる。
【００８８】
本発明にかかる保護カバーは、パイプ状であっても、パイプ状のものの二重構造であってもよく、また、帯状物を螺旋状に巻いたもの、螺旋状にかつ筒状に巻いたものや、塗布、ディツピング処理等で得るものでもよい。
【００８９】
本発明では、壁支持材を、ゴム又はプラスチックのソリッド及び発泡体からなる群より選ばれた少なくとも１種の物質から形成し、かかる壁支持材と間仕切り壁の下枠材又は床基版との間に、下枠材を支えるか又は床基版に支えられる台板と、この台板を支えるか又は台板に支えられる支持棒とを設ける場合、この支持棒の一端又は両端に縮径部を設け、この縮径部を壁支持材又は台板に挿入し固定して、壁支持材と台板との間の高さを調節することができる。
【００９０】
また、本発明では、かかる支持棒の一端又は両端に、支持棒の径よりも大きな径を有するストッパー部を設け、この支持棒を、ストッパー部まで壁支持材又は台板に挿入し固定して、壁支持材と台板との間の高さを調節することができる。
【００９１】
かかる壁支持材で構成される間仕切り壁構造は、壁支持材で間仕切り壁を支持する際、高さ調整が容易になり、高さ調整が微調整程度で済むようになる。
【００９２】
かかる間仕切り壁の支持では、高さの微調整後に、壁支持材と支持棒又は支持棒と台板との間の螺合部のガタツキが防止され、振動による螺合部のゆるみを防止でき、螺合部を接着剤によって固着する作業を不要とする。
【００９３】
床基版が現場打設されたコンクリート床版の場合は、表面を人手により金鏝仕上を行う為、多少の不陸は避けられない。また、床先行の場合、床材に貫通孔を設けて、壁支持材を床基版に当接させるので、貫通孔は、床仕上の美観上、間仕切壁の下枠材の幅より小さくする。かかる場合には、壁支持材は、床基版への接地面積がおのずと小さくなり、不陸吸収にも限度が生じる。
【００９４】
したがって、かかる場合、間仕切り壁の支持では、一部不陸を吸収しきれない部分が生じることを、想定して高さの微調整ができる壁支持材のタイプが望ましい。この場合でも、壁支持材には不陸吸収作用があるので、高さ調整は微調整ですみ、しかも、壁支持材の設置は間仕切り壁の下部だけであるので、調整手間は非常に低減できる。
【００９５】
かかる場合に用いる壁支持材は、ゴム、プラスチックのソリッド又は発泡体を好適に用いることができ、ゴム又はプラスチックの材質については、前述したものを含め、種々の材質のものを用いることができる。
【００９６】
また、かかる場合に用いる支持棒は、壁支持材又は台板の中に一定量以上沈み込まないように固定されるならば、種々のものを用いることができる。かかる支持棒には、その周囲を保護カバーで囲着したものを用いることができる。
【００９７】
保護カバーは、前述したものと同様の材質、形状等ものを用いることができ、支持棒等が貫通孔に擦れて生じる床鳴り等を防止できることは、前述の通りである。
【００９８】
本発明では、壁支持材と支持棒又は支持棒と台板との間をガタツキ等なく固定するのに、支持棒の一端又は両端に縮径部を設け、縮径部を壁支持材又は台板に挿入し固定することで行うことができる。
【００９９】
縮径部は、支持棒自体に設けることもでき、支持棒の径よりも小さい径であれば、支持棒の一端又は両端に支持棒とは異なるものを設けることもできる。
【０１００】
また、本発明では、支持棒の一端又は両端に、支持棒の径よりも大きな径を有するストッパー部を設け、支持棒をストッパー部まで壁支持材又は台板に挿入して、壁支持材と支持棒又は支持棒と台板との間を固定することができる。
【０１０１】
ストッパー部は、支持棒自体に設けることができ、その場合、支持棒の末端から所定の間隔を離して、支持棒の径よりも大きな径を有する突出部とすることができる。
【０１０２】
また、ストッパー部は、支持棒の縮径部に嵌め込まれるワッシャーのようなものでもよく、縮径部の径よりも大きな内径で、支持棒の径より大きい外径のものを用いることができる。
【０１０３】
縮径部やストッパー部は、支持棒の固定部として働く。縮径部は、支持棒の径よりも小さい径の部分であるので、縮径部を壁支持材や台板に挿入すると、支持棒の径の部分で、壁支持材や台板が固定される。
【０１０４】
ストッパー部は、支持棒の径よりも大きい径の部分であるので、支持棒の端部を壁支持材や台板に挿入すると、ストッパー部の部分で壁支持材や台板が固定される。
【０１０５】
このように、縮径部やストッパー部は、支持棒を壁支持材や台板に所定量以上侵入させないので、支持棒が床基版や間仕切り壁下枠材に接触するのを防止できる。
【０１０６】
また、ストッパー部は、支持棒の径よりも大きい径の部分であるので、壁支持材や台板を、支持棒自体で支持される面積よりも、より一層大きい面積で支持することができる。
【０１０７】
縮径部やストッパー部の材質は、特に制限されず、支持棒と同様のものでよく、金属、プラスチック、木材等が好適に用いられる。
【０１０８】
かかる支持棒が高さ調整ネジ部を有する場合は、台板は中央部に貫通穴が設けられ、その貫通穴に調整ネジ部と螺合する受けナットを固定する構成とすることができる。
【０１０９】
本発明では、かかる受ナットの一部を、ストッパー部として用いることができる。かかる受けナットの台板の下部に露出する面に、台板の貫通穴より大きい径のストッパー部を設けて、支持棒が受けナットと共に、所定量以上台板内に侵入しないようにしておくことが好ましい。
【０１１０】
本発明では、壁支持材上部にランナーを固定し、このランナーに、間仕切り壁の下枠材を固定支持することができる。
【０１１１】
図面を参照して、本発明をより一層詳細に説明する。
図１は、本発明にかかる１例の間仕切り壁構造の要部垂直断面図である。図２は、本発明にかかる他の例の間仕切り壁構造の要部垂直断面図である。図３は、本発明にかかる更に他の例の間仕切り壁構造の要部垂直断面図である。図４は、本発明にかかる更に他の例の間仕切り壁構造の要部垂直断面図である。図５は、本発明にかかる更に他の例の間仕切り壁構造の要部垂直断面図である。図６は、本発明の１例の間仕切り壁構造で用いた床材の平面図である。
【０１１２】
図１は、床基版に予じめ間仕切壁を設けた壁先行工法に於ける間仕切り壁構造の例図である。
【０１１３】
図１に示すように、本発明にかかる一例の間仕切り壁構造１は、床基版２と、床基版２上の床材３と、間仕切り壁４と、天井板５と、天井板受け桟６とを備える。
【０１１４】
間仕切り壁構造１では、床材３が貫通孔３ａを有しており、間仕切り壁４が、一対の壁板４ａ，４ｂと各壁板４ａ，４ｂの間に設けられる下枠材４ｃ及び上枠材４ｄとを有している。
【０１１５】
本発明では、貫通孔３ａ内の少なくとも一部に、１０〜１５０Ｈｚの固有振動数を有する壁支持材７を設ける。壁支持材７は、ゴム弾性体、プラスチック弾性体及びバネ弾性体からなる群より選ばれた少なくとも１種の弾性体からなる。
【０１１６】
壁支持材７は床基版２によって支持されており、壁支持材７は下枠材４ｃを支持しており、上枠材４ｄ上に天井板５が設けられており、天井板５上に天井受け桟６が設けられており、上枠材４ｄが天井板受け桟６に固定されている。
【０１１７】
図１に示すように、間仕切り壁構造１は、垂直断面で見た時、間仕切り壁４の下端部４ｅが、貫通孔３ａに挿入されている。
【０１１８】
図２は、直貼り床の床先行工法において、床材に貫通孔を設け、その中に床支持材を設置し、床支持材によって間仕切り壁の下枠材を支える例図である。
【０１１９】
図２の間仕切り壁構造１１が、図１の間仕切り壁構造と異なる点は、複数の貫通孔１３ａが、間仕切り壁１４の長さ方向に、互いに離間して設けられており、間仕切り壁１４の下端部１４ｅが各貫通孔１３ａを覆うように床材１３上に設けられていることである。
【０１２０】
間仕切り壁構造１１では、床基版１２、床材１３、間仕切り壁１４、天井板１５、天井板受け桟１６、壁板１４ａ，１４ｂ、下枠材１４ｃ、上枠材１４ｄ及び壁支持材１７は、図１と同様のものでよく、説明を省略する。
【０１２１】
図３は、二重床の床先行工法に於いて、複数の制振要素又はバネ要素で床材を支え、床材に貫通孔を設けた後、その貫通孔の下側に間仕切り壁の壁支持材を設けた例図である。
【０１２２】
図３の間仕切り壁構造２１が、図１の間仕切り壁構造と異なる点は、図２の場合と同様に、複数の貫通孔２３ａが、間仕切り壁２４の長さ方向に、互いに離間して設けられており、間仕切り壁２４の下端部２４ｅが各貫通孔２３ａを覆うように床材２３上に設けられていることである。
【０１２３】
さらに、図３の間仕切り壁構造２１では、図１のものと異なり、垂直断面で見た時、床基版２２上に、複数の床支持材２８が設けられており、各床支持材２８が互いに離間し、床材２３を支えている。
【０１２４】
間仕切り壁構造２１では、各床支持材２８は、板状材２９ａ，２９ｂと複数の衝撃緩衝部材３０ａ，３０ｂ，３０ｃとを備えており、板状材２９ａ，２９ｂが、それぞれ、床基版２２及び床材２３に接しており、各衝撃緩衝部材３０ａ，３０ｂ，３０ｃが板状材２９ａと板状材２９ｂとの間に配置されており、各衝撃緩衝部材３０ａ，３０ｂ，３０ｃが互いに離間している。
【０１２５】
なお、図示してはいないが、本発明では、板状材は、床基版及び床材の少なくとも一方に接しており、各衝撃緩衝部材が板状材と床材との間又は板状材と床基版との間に配置されていてもよい。
【０１２６】
また、間仕切り壁構造２１では、各衝撃緩衝部材３０ａ，３０ｂ，３０ｃはバネ特性を有しており、かかるバネ特性は、線形バネ特性、プログレッシブバネ特性、デグレッシブバネ特性及び定荷重バネ特性からなる群より選ぶことができる。これらの複数の衝撃緩衝部材３０ａ，３０ｂ，３０ｃは、少なくとも２種のバネ特性を有している。
【０１２７】
壁支持材２７と下枠材２４ｃとの間には、下枠材２４ｃを支える台板３１と、台板３１を支える支持棒３２とが設けられており、支持棒３２によって壁支持材２７と台板３１との間の高さが調節されている。
【０１２８】
なお、図示してはいないが、本発明では、台板と支持棒とを、壁支持材と床基版との間に配置し、台板を床基版で支え、支持棒を台板で支えて、支持棒で壁支持材を支えることができる。また、支持棒には、台板や壁支持材との間で生じるがたつきや異音発生を防止する保護カバーを周囲に囲着することができる。
【０１２９】
間仕切り壁構造２１では、間仕切り壁２４、天井板２５、天井板受け桟２６、壁板２４ａ，２４ｂ、上枠材２４ｄ及び壁支持材２７は、図１と同様のものでよく、これらの説明は省略する。
【０１３０】
図４は、複数の制振要素又はバネ要素から形成されている床支持材で床材を支え、壁支持材も、床支持材と同様に、複数の制振要素又はバネ要素から形成されている、間仕切り壁構造の例図である。
【０１３１】
図４の間仕切り壁構造４１が、図３の間仕切り壁構造と異なる点は、壁支持材４７が、壁用板状材４９ａ，４９ｂと複数の壁用衝撃緩衝部材５０ａ，５０ｂ，５０ｃとを備えており、壁用板状材４９ａ，４９ｂが、それぞれ、床基版４２及び下枠材４４ｃに接しており、各壁用衝撃緩衝部材５０ａ，５０ｂ，５０ｃが壁用板状材４９ａと下枠材４４ｃとの間でしかも、壁用板状材４９ｂと床基版４２との間に配置されていることである。
【０１３２】
各壁用衝撃緩衝部材５０ａ，５０ｂ，５０ｃは、互いに離間しており、各壁用衝撃緩衝部材５０ａ，５０ｂ，５０ｃは、バネ特性を有しており、これらのバネ特性が、線形バネ特性、プログレッシブバネ特性、デグレッシブバネ特性及び定荷重バネ特性からなる群より選ばれており、複数の壁用衝撃緩衝部材５０ａ，５０ｂ，５０ｃは、少なくとも２種のバネ特性を有している。
【０１３３】
なお、図示してはいないが、本発明では、壁用板状材は、床基版及び下枠材の少なくとも一方に接していればよく、各壁用衝撃緩衝部材は、壁用板状材と下枠材との間又は壁用板状材と床基版との間に配置されていてもよい。
【０１３４】
間仕切り壁構造４１では、床基版４２、床材４３、間仕切り壁４４、天井板４５、天井板受け桟４６、壁板４４ａ，４４ｂ、下枠材４４ｃ、上枠材４４ｄ、貫通孔４３ａ及び床支持材４８は、図３と同様のものでよく、これらの説明は省略する。
【０１３５】
図５は、二重床の床先行工法に於ける、床材を敷設する前に、壁支持材を予じめ設置しておき、床を形成した後に、壁支持材の上に間仕切り壁を設置した例図である。
【０１３６】
この例の間仕切り壁構造６１は、床基版６２と、床基版６２上の複数の床支持材６８と、各床支持材６８上の床材６３と、間仕切り壁６４と、天井板６５と、天井板受け桟６６とを備えている。
【０１３７】
間仕切り壁構造６１は、各床支持材６８が、間仕切り壁構造６１を垂直断面で見た時、互いに離間しており、間仕切り壁６４が、一対の壁板６４ａ，６４ｂと各壁板６４ａ，６４ｂの間に設けられる下枠材６４ｃ及び上枠材６４ｄとを有している。
【０１３８】
間仕切り壁構造６１では、下枠材６４ｃは、床材６３上に固定されており、間仕切り壁６４の直下の床材６３と床基版６２との間に、１０〜１５０Ｈｚの固有振動数を有する壁支持材６７が設けられている。
【０１３９】
壁支持材６７は、ゴム弾性体、プラスチック弾性体及びバネ弾性体からなる群より選ばれた少なくとも１種の弾性体からなり、壁支持材６７は、床基版６２によって支持され、壁支持材６７は、床材６３を支持している。
【０１４０】
上枠材６４ｄ上には、天井板６５が設けられており、天井板６５上には、天井受け桟６６が設けられており、上枠材６４ｄは天井板受け桟６６に固定されている。
【０１４１】
図６は、間仕切り壁設置部の貫通孔の配置を示す平面図であり、間仕切り壁の支持材が設置される貫通孔の間に、床貫通口を開口状態のままで残した例図である。
【０１４２】
図６に示すように、床材７３には、複数の貫通孔７３ａの間に、床貫通開口７３ｂが設けられている。なお、貫通孔７３ａの部分は、台板８１によって支えられる。
【０１４３】
図７は、本発明にかかる一例の支持棒の断面図である。図８は、本発明にかかる他の例の支持棒の断面図である。図９は、本発明にかかる一例の支持棒と受けナットの組み合わせを示す断面図である。
【０１４４】
図７に示すように、本発明にかかる一例の支持棒８２には、その一端に縮径部８２ａが設けられ、他端に突出部８２ｂを有するストッパー部８２ｃが設けられている。
【０１４５】
また、この例の支持棒８２の縮径部８２ａには、ワッシャー８３が挿入されており、支持棒８２の周囲には、保護カバー８４が被覆されている。
【０１４６】
この例では、縮径部８２ａに挿入されているワッシャー８３がストッパー部として働き、縮径部８２ａの突端８２ｄが壁支持材又は台板に挿入され、支持棒８２はワッシャー８３で固定される。また、突出部８２ｂは、ストッパー部８２ｃまで、壁支持材又は台板に挿入され、固定される。
【０１４７】
図８に示すように、本発明にかかる他の例の支持棒８５には、両端に突出部８５ａ及び８５ｂを有するストッパー部８５ｃ及び８５ｄが設けられている。支持棒８５は、保護カバー８６で覆われている。突出部８５ａ及び８５ｂは、それぞれ、ストッパー部８５ｃ及び８５ｄまで、壁支持材又は台板に挿入され、固定される。
【０１４８】
図９に示すように、本発明にかかる一例の支持棒８７と受けナット８８の組み合わせでは、支持棒８７と受けナット８８とを用いる。支持棒８７の一端には、縮径部８７ａが設けられ、支持棒８７の他端には、ネジ部８７ｂが設けられており、受けナット８８はネジ部８７ｂと螺合する。
【０１４９】
受けナット８８には、台板８９の中央部に設けられる貫通穴８９ａに挿入される突出部８８ａと、貫通穴８９ａの表面８９ｂを覆う鍔部８８ｂとが設けられている。
【０１５０】
受けナット８８の鍔部８８ｂは、受けナット８８と螺合した支持棒８７が台板８９に所定量以上侵入しないようにするストッパー部として働く。
【０１５１】
支持棒８７の周囲には、異なる材質からなる、例えば、外側がソリッドゴム層９０ａで、内側が発泡体層９０ｂからなる保護カバー９０が設けられる。
【０１５２】
【実施例】
本発明を、図面を参照して、実施例に基づいて説明する。
図１０（ａ）は、参考例１にかかる壁支持材の平面図であり、図１０（ｂ）は、（ａ）の壁支持材の断面図である。図１１（ａ）は、参考例２にかかる壁支持材の平面図であり、図１１（ｂ）は、（ａ）の壁支持材の断面図である。図１２（ａ）は、参考例３にかかる壁支持材の平面図であり、図１２（ｂ）は、（ａ）の壁支持材の断面図である。図１３（ａ）は、参考例４にかかる壁支持材の平面図であり、図１３（ｂ）は、（ａ）の壁支持材の断面図である。図１４（ａ）は、参考例４にかかる壁支持材の平面図であり、図１４（ｂ）は、（ａ）の壁支持材の側面図である。
【０１５３】
図１５は、参考例６にかかる間仕切り壁構造の要部垂直断面図である。図１６（ａ）は、参考例６にかかる壁支持材の平面図であり、（ｂ）は、（ａ）の壁支持材の断面図である。図１７は、参考例６にかかる保護カバーの横断面図であり、（ｂ）は、（ａ）の保護カバーの縦断面図である。
【０１５４】
図１８は、参考例７にかかる間仕切り壁構造の要部垂直断面図である。図１９（ａ）は、参考例７にかかる壁支持材の平面図であり、（ｂ）は、（ａ）の壁支持材の断面図である。図２０は、参考例７にかかる保護カバーの横断面図であり、（ｂ）は、（ａ）の保護カバーの縦断面図である。
【０１５５】
図２１は、参考例８にかかる間仕切り壁構造の要部垂直断面図である。図２２（ａ）は、参考例８にかかる壁支持材の平面図であり、（ｂ）は、（ａ）の壁支持材の断面図である。
【０１５６】
図２３は、実施例２にかかる間仕切り壁構造の要部垂直断面図である。図２４は、参考例９にかかる間仕切り壁構造の要部垂直断面図である。図２５は、参考例９にかかる保護カバーの横断面図であり、（ｂ）は、（ａ）の保護カバーの縦断面図である。
【０１５７】
図２６は、比較例３にかかる壁構造の要部垂直断面図である。
【０１５８】
参考例１
図１に示すような間仕切り壁構造を施工する。
床開口部が３．７ｍ×１．８５ｍの床に、短辺６００ｍｍ、長辺１８００ｍｍ、厚み１００ｍｍのＡＬＣ床版６枚を床基版２として設置する。
【０１５９】
上下階同位置に、間仕切り壁取付用ボルト１０１を、間仕切り壁長さ３．６ｍに４５０ｍｍピッチで、床基版上、接着剤１０２により設置し、ボルト位置に、中央穴を有する５０ｍｍ角１０ｍｍ厚の、固有振動数６０Ｈｚの表１に示した壁支持材を設ける。なお、この例で用いた壁支持材の形状を、図１０（ａ）及び（ｂ）に示す。
【０１６０】
間仕切り壁４の下枠材４ｃをナット１０３で固定する。間仕切り壁４の上枠材４ｄは、非加硫ブチルゴム２ｍｍ厚シート１０４と天井板５を挟んで、天井受け桟６にビス固定する。
【０１６１】
次に、予じめ、間仕切り壁４が設置された床基版２に、１５ｍｍ厚パーチクルボード１０５をＤＡＣビス固定で敷き並べ、その上に１２ｃｍ厚フローリング材１０６をフロアーネイルで下地パーチクルボード１０５へ固定する。間仕切り壁４と床材３との隙間は、幅木１０７で塞ぐ。
【０１６２】
得られた間仕切り壁構造を、重量床衝撃音の測定に供試した。重量床衝撃音は、ＪＩＳ−Ａ−１４１８によって測定した。結果を表２に示す。
【０１６３】
参考例２
図２に示すような間仕切り壁構造を施工する。
参考例１と同様、ＡＬＣ床版を床基板とし、パーチクルボード１５ｍｍ厚をＤＡＣビスでＡＬＣ床版に固定し敷き並べ、その上に１２ｍｍ厚フローリング材をフロアーネイルで固定する。
【０１６４】
次に、間仕切り壁設置位置に墨線を打ち、間仕切り壁３．６ｍに、４５０ｍｍピッチで５５ｍｍφの貫通孔を設ける。
【０１６５】
上底４０ｍｍφ、下底５０ｍｍφ、高さ２５ｍｍφの加硫ゴムと５０ｍｍφ、５ｍｍ高さのＥＰＴ発泡体を積層して、壁支持材を作製し、この壁支持材を貫通孔内に設置する。壁支持材の構成を、表１、図１１（ａ）及び（ｂ）に示す。
【０１６６】
その上から、間仕切り壁を設置し、下枠材を床材にビス固定した。次に、間仕切り壁の上枠材は、天井板を挟んで天井受け桟にビス固定するが、この際に、振動絶縁材として１０倍発泡ポリエチレン２ｍｍ厚シート１０８を天井板１５と上枠材１４ｄとの間に介在させる。
【０１６７】
得られた間仕切り壁構造を重量床衝撃音の測定に供試した。得られた結果を表２に示す。
【０１６８】
参考例３
図３に示すような間仕切り壁構造を施工する。
床基版２２をＡＬＣ床版とし、床支持材２８には、上下に板材２９ａ，２９ｂを設け、複数の制振要素３０ａ，３０ｃ及びバネ要素３０ｂを並列で固定した物を、接着剤１０９としてのウレタンコーキングで床基版２２に固定する。
【０１６９】
床支持材２８は、ＡＬＣ床版の短辺方向に芯／芯６００ｍｍピッチ、長辺方向に芯／芯４５０ｍｍピッチで配置した。床支持材２８の上に、２０ｍｍ厚のパーチクルボード１１０を隙間なく敷き並べ、床支持材２８の上板２９ｂにパーチクルボード１１０をビス固定する。
【０１７０】
次に、８ｍｍ厚の遮音材１１１、１５ｍｍ厚のパーチクルボード１１２を敷き並べ、２０ｍｍ厚のパーチクルボード１１０にビス固定する。次に、１２ｍｍ厚のフローリング材１１３をフロアーネイルで固定して形成する。
【０１７１】
次に、間仕切り壁設置位置で、３．６ｍ長さ、４５０ｍｍピッチで、貫通孔２３ａを設ける。
【０１７２】
固有振動数１３０ＨｚのＳＢＲゴムを壁支持材２７とし、その上下を板状材１１４ａ，１１４ｂで挟み、ストッパー１１５としてのワッシャー１１５ａ，１１５ｂを上下に設けた支持棒３２を壁支持材２７の上に固定し、支持棒３２の上部に台板３１を設け、間仕切り壁２４の下枠材２４ｃを台板３１に固定する。なお、壁支持材２７の構成を、表１、図１１（ａ）及び（ｂ）に示す。
【０１７３】
間仕切り壁の上枠材２４ｄと天井板２５との間には、振動絶縁材１１６として、２ｍｍ厚の不織布を貼り、上枠材を天井受け桟２６に固定する。
【０１７４】
得られた間仕切り壁構造を重量床衝撃音の測定に供試した。得られた結果を表２に示す。
【０１７５】
参考例４
図４に示すような間仕切り壁構造４１を施工する。
基本的に、参考例３の間仕切り壁構造と同様であるが、壁支持材４７として、上下の板状材４９ａ，４９ｂの間に、４ケのゴム製制振要素５０ａ，５０ｃとそれらの中央に円錘状バネ要素５０ｂを並列に設けた５０ｍｍ角の壁支持材を用いる。壁支持材４７の構成を、表１、図１２（ａ）及び（ｂ）に示す。
【０１７６】
この壁支持材４７には、支持棒１１７と台板１１８を設ける。支持棒１１７には、その上下に、ストッパー１１９としてのワッシャー１１９ａ，１１９ｂを設ける。
【０１７７】
壁支持材４７と支持棒１１７と台板１１８とを一体化して、貫通孔４３ａ内に設置し、板状材４９ａを床基版４２に接着剤１２０を用いて固定し、板状材４９ｂを間仕切り壁の下枠材４４ｃにビス固定する。
【０１７８】
次に、間仕切り壁の上枠材４４ｄと天井板４５との間に、振動絶縁材１２１としての２ｍｍ厚不織布を設け、上枠材４４ｄを天井受け桟４６にビス固定する。
【０１７９】
得られた間仕切り壁構造を重量床衝撃音の測定に供試した。得られた結果を表２に示す。
【０１８０】
参考例５
図５に示すような間仕切り壁構造６１を施工する。
床基版を１００ｍｍ厚のＡＬＣ床版とし、床支持材６８を市販の二重床支持脚とする。床支持材６８には、ゴム脚１２２と鉄製ネジ付支持棒１２３と台板１２４とを設け、ゴム脚１２２には、ストッパー１２５としてのワッシャーを設け、台板１２４には、下側から受けナット１２６を嵌め込み、粘着剤で固定する。鉄製ネジ付支持棒１２３には、予じめソリッドゴムと発泡ゴムの積層パイプを保護カバー１２７として固着する。
【０１８１】
間仕切り壁の壁支持材６７としては、６０ｍｍ角、３０ｍｍ厚の固有振動数２０Ｈｚの表１に示した壁支持材６７の上下に木製の６０ｍｍ角、３５ｍｍ厚の板状材１２８ａ，１２８ｂを接着し、間仕切り壁３６ｍ長さ当り４５０ｍｍピッチで、床基版６２に、接着剤１２９としてのウレタンコーキングで接着固定する。なお、壁支持材６７の構成を、表１、図１３（ａ）及び（ｂ）に示す。
【０１８２】
【表１】
0003607593.tif 000003
【０１８３】
床支持材６８で、６００ｍｍ幅×１８００ｍｍ長さ×２０ｍｍ厚のパーチクルボード１３０を幅方向６００ｍｍピッチ、長さ方向１８００ｍｍピッチで支持する。
【０１８４】
この時、床支持材６８は、Ｔ字形又はパーチ長辺の各２辺で、パーチクルボード１３０を支持できる様にし、台板１２４上に突き出る受けナット１２６の径以上に、各パーチクルボード１３０を離間させる。
【０１８５】
パーチクルボード１３０上に、８ｍｍ厚の遮音材１３１を隙間なく敷き並べ、その上に、９ｍｍ厚のパーチクルボード１３１を隙間なく敷き並べ、ビス固定する。パーチクルボード１３２の上に、１２ｍｍ厚のフローリング材１３２を、フロアーネイルで固定する。
【０１８６】
次に、間仕切り壁支持材６７の上に、間仕切り壁６４を設置し、下枠材６４ｃと床材６３とをビス固定し、上枠材６４ｄ上に天井６５を設け、上枠材６４ｄを天井受け桟６６にビス固定する。
【０１８７】
得られた間仕切り壁構造を重量床衝撃音の測定に供試した。得られた結果を表２に示す。
【０１８８】
実施例１
参考例４の実験終了後に間仕切り壁を除去し、図６に示すようにして、壁支持材を設置した貫通孔の間に、ほぼ等分間隔で、４５０mm穴ピッチに対して2ケの４０ｍｍφの床貫通口を設ける。
【０１８９】
開口状態のままで、間仕切り壁の下枠材と壁支持材上の台板をビス固定した。次いで、間仕切り壁の上枠材の上に、２ｍｍ厚の不織布を振動絶縁材として設けて、その上に天井板を設け、上枠材を天井受け桟にビス固定する。
【０１９０】
得られた間仕切り壁構造を重量床衝撃音の測定に供試した。得られた結果を表２に示す。
【０１９１】
参考例６
図１５に示すような間仕切り壁構造２０１を施工する。
床支持材２０２は、３００mm角、５．５mm厚合板２０３の上に円錐台状の柔軟なゴム２０４を４個固定し、中央に座金で固定した円錐状バネ２０５を固定し、その上に２２５mm角、９mm厚の合板２０６を円錐台状の柔軟なゴム２０４に固定一体化して作製する。
【０１９２】
床基版２０７としては、約３．７ｍｍ×１．８５ｍｍの開口部を有する床に設置する、短辺６００ｍｍ、長辺１８００ｍｍ、厚み１００ｍｍのＡＬＣ床版を用いる。
【０１９３】
ＡＬＣ床版２０７には、短辺方向芯／芯６００ｍｍピッチ、長辺方向芯／芯４５０ｍｍピッチで、床支持材２０２の合板２０３を９０ｍｍ長さのＤＡＣビスで固定する。
【０１９４】
床材２０８としては、床支持材２０７の上に、９０９ｍｍ幅×１８１８ｍｍ長さ×２０ｍｍ厚のパーチクルボード２０９を並べ、ビスで床支持材２０７の上板２０６に固定し、比重３．２、厚み６ｍｍの４５０ｍｍ幅×９００ｍｍ長さの遮音マット２１０を敷き並べ、その上に、９０９ｍｍ幅×１８１８ｍｍ長さ×９ｍｍ厚のパーチクルボード２１１を並べ、ビスで２０ｍｍ厚パーチクルボード２０９に固定し、３０３幅×１８１８ｍｍ長さ×１２ｍｍ厚のフローリング材２１２を釘止め固定して形成する。
【０１９５】
床施工部の長手方向に、間仕切り壁２１３を３．６ｍｍ設置するように、間仕切り壁２１３の中心相当部に墨線を打ち、芯／芯４５０ｍｍピッチで５０ｍｍの貫通孔２１４をあける。
【０１９６】
壁支持材２１５は、図１６（ａ）及び（ｂ）に示す、ＳＢＲ加硫ソリッドゴム２１６とＥＰＴ発泡ゴム体２１７の積層品２５ｍｍ径２５ｍｍ厚を使用した。図１６（ａ）及び（ｂ）に示すように、ゴム２１６には、支持棒を差し込むための差し込み孔２１６ａを設ける。
【０１９７】
支持棒２１８は、図７に示すようなものを用いる。支持棒２１８は、１０ｍｍ径、９２ｍｍ長さの鉄製とし、下部を８ｍｍ径に縮径して、縮径部２１８ａを設ける。縮径部２１８ａには、ストッパー部２１９として２５ｍｍ径のワッシャーを差し込む。
【０１９８】
また、支持棒２１８には、３ｍｍ厚で２０ｍｍ径に拡径したストッパー部２１８ｂを設ける。支持棒２１８の縮径部２１８ａにワッシャーを差し込む前に、図１７に示すＥＰＴ発泡ゴムパイプを保護カバー２２０として差し込む。この支持棒２１８にはネジ部は設けない。
【０１９９】
台板２２１は、合板１２ｍｍ厚６０ｍｍ角とし、中央に９ｍｍ径の貫通穴を設け、１０ｍｍ径の支持棒２１８の突出部２１８ｃをストッパー部２１８ｂまで圧入固定する。
【０２００】
壁支持材２１５及び支持棒２１８を貫通孔に差し込み、台板２２１と床材２０８をネジ釘で固定し、間仕切り壁２１３の下枠材２１３ａと台板２２１を木ネジで固定し、間仕切り壁２１３の上枠材を、天井板を挟んで、天井受け桟に木ネジで固定する。間仕切り壁２１３の縦枠材は、間柱と木ネジで固定する。間仕切り壁は、上下階の平面で同位置に設置して、重量床衝撃音を測定した。結果を、表３に示す。
【０２０１】
参考例７
図１８に示すような間仕切り壁構造２３１を施工する。
ＡＬＣ床版を床基版２３２とする。床基版２３２上の床支持材２３３として、３００mm角９mm厚の合板を、上板２３４とし、４ケの円錐台状の柔軟なゴム２３５を接着固定し、中央に座金に固定した円錐状バネ２３６を合板２３７にビス固定し、先端に異音防止カバーをつけて、ウレタンコーキングで接着する。
【０２０２】
床支持材２３３上に、参考例１と同様に床材２３８を設けて、床材２３８に貫通孔２３８ａを作製する。
【０２０３】
壁支持材２４０は、図１９（ａ）及び（ｂ）に示すものを用いる。図１９に示すように、壁支持材２４０は、円錐台状で、上底２０ｍｍ径、下底４０ｍｍ径、高さ２０ｍｍのＥＰＴ／ＩＩＲソリッドゴム２４１とＥＰＴ／ＩＩＲブチルゴム発泡体２４２を４０ｍｍ厚でソリッドの下面に積層した物とする。
【０２０４】
支持棒２４３は、鉄製で１０ｍｍφで、上下に台板２４４や壁支持材２４０への差し込み代２４３ａ，２４３ｂを残して、２０ｍｍ径３ｍｍ厚のストッパー部２４３ｃ，２４３ｄが設けてあり、それらのストッパーの間に、図２０（ａ）及び（ｂ）に示すような、６．６−ナイロン製の帯状物を螺旋状に巻いて成形した保護カバー２４５を設ける。
【０２０５】
台板２４４としては、６０ｍｍ幅×９０ｍｍ長さ×１２ｍｍ厚合板の中央に９ｍｍ径の貫通穴２４４ａをあけ、その中に、支持棒２４３を圧入して固定し、壁を支持する。
【０２０６】
参考例６と同様に、貫通孔２３８ａに壁支持材２４０及び支持棒２４３を差し込み、台板２４４と床材２３８を木ネジで固定する。
【０２０７】
間仕切り壁２４５の下枠材２４５ａと合板２４４の間に、振動絶縁材２４６として、ＥＰＴ発泡体６０ｍｍ幅×９０ｍｍ長さ×２ｍｍ厚を設け、木ネジで下枠材２４５ａと合板２４４とを固定し、間仕切り壁２４５の上枠材２４５ｂの全面に、６０ｍｍ幅×２ｍｍ厚のＥＰＴ発泡体２４６を設けて、その上に、天井板２４７を設けて、天井受け桟２４８にネジ釘で固定する。
【０２０８】
間仕切り壁２４５の縦枠材と間柱の間に、ＥＰＴ発泡体６０ｍｍ幅、２ｍｍ厚を敷き、木ネジで固定する。得られた間仕切り壁構造２３１の重量床衝撃音を測定し、結果を表３に示す。
【０２０９】
参考例８
図２１に示すような間仕切り壁構造２５１を施工する。
この例では、基本的には、参考例６で試験した床を使用するが、参考例６の床支持材の上下を逆転させ、床基版に接する面には合板を設けず、床材に接する面にのみ合板を設けた床支持材２５２を用い、更に、図２２に示すような壁支持材２５３を用いる。
【０２１０】
壁支持材２５３では、内径９ｍｍ、外径２３ｍｍの二層構造パイプ状の内側硬度３５、外側硬度５０の各々のソリッドゴム２５４，２５５で、高さ２３ｍｍのものと、エチレン酢酸ビニルの２０倍発泡２ｍｍ厚シート２５６を積層した物に、支持棒差し込み穴２５７を設けて用いる。
【０２１１】
支持棒２５８、台板２５９は、共に参考例７で用いた物を用いる。間仕切り壁２６０の下枠材２６０ａと台板２５８は、２mm厚５０mm幅の非加硫ブチルゴムシート２６１を挟んで木ネジで固定する。
【０２１２】
間仕切り壁の上枠材は、天井板を挟んで、天井受け桟に木ネジで固定する。間仕切り壁の縦枠材と間柱を木ネジで固定する。得られた間仕切り壁構造の重量床衝撃音を測定した。結果を表３に示す。
【０２１３】
実施例２
この例では、基本的には、参考例８で試験した床を使用するが、参考例６で使用した床支持材及び壁支持材を用いる。また、図２３に示すように、床材２７１の貫通孔２７１ａの間の中央に、５０mm径の床貫通口２７２を１ケづつ計８ケ設け、開口状態のまま、間仕切り壁の下枠材を台板２０６に木ネジで固定する。
【０２１４】
間仕切り壁の上枠材は、天井板を挟んで、天井受け桟に固定し、間仕切り壁の縦枠材は、間柱に木ネジで固定する。得られた間仕切り壁構造の重量床衝撃音を測定し、結果を表３に示した。
【０２１５】
参考例９
図２４に示すような間仕切り壁構造２８１を施工する。
約３．７m ×１．８５m の開口部を有する床に、短辺９００mm長辺１８００mm厚さ１５０mmの金ゴム仕上ＲＣ床版を４枚を並べて、床基版２８２を設置する。
【０２１６】
その上に、参考例６で用いた床支持材２０２を、ＲＣ床版の短辺方向で６００mmピッチ、長辺方向で４５０mmピッチで、ＲＣ床版と床支持材２０２の下板２０３を接着剤で固定する。
【０２１７】
床支持材２０２の上に、９０９ｍｍ幅×１８１８ｍｍ長さ×２０ｍｍ厚のパーチクルボード２８３を並べ、ビスで床支持材２０２の上板２０６に固定し、比重３．２、厚み６ｍｍの４５０ｍｍ幅×９００ｍｍ長さの遮音マット２８４を敷き並べ、その上に、９０９ｍｍ幅×１８１８ｍｍ長さ×９ｍｍ厚のパーチクルボード２８５を並べてビスで２０ｍｍ厚パーチクルボード２８３に固定する。次に、３０３ｍｍ幅×１８１８ｍｍ長さ×１２ｍｍ厚のフローリング材２８６を釘止め固定して床材２８７を形成した。
【０２１８】
床施工部の長手方向に、３．６ｍの間仕切り壁２８８を設置できるように、間仕切り壁２８８の中心相当部に墨線を打ち、芯／芯４５０ｍｍピッチで５０ｍｍの貫通孔２８７ａを床材２８７にあける。
【０２１９】
壁支持材２８９は、参考例６と同じにし、支持棒としては、図９に示すような支持棒２９０を用いる。支持棒２９０は、鉄製で、支持棒２９０の上部２０mm長さのみネジ部２９０ａを設け、支持棒２９０の天端部に、ネジを回すためのマイナス溝がある。
【０２２０】
保護カバーは、図２５に示すような保護カバー２９１を用いる。保護カバー２９１は、外側ソリッドゴムＥＰＴ２９１ａ／内側発泡体ＥＰＴ２９１ｂ積層パイプを用いる。
【０２２１】
保護カバー２９１は、支持棒２９０の下部のストッパー部２１９からネジ部２９０ａの１０mmのところまで入れた。参考例６と同様に、支持棒の下部のストッパー部２１９は、支持棒１０mm径を８mm径に縮径して、２５mm径のワッシャーを差し込んで作製する。
【０２２２】
台板２９２は、６０ｍｍ角１２ｍｍ厚の合板とし、中央に１３．５径の貫通穴を設けて、外径１５ｍｍ受け部２ｍｍ厚３０ｍｍ径の受けナット２９３を圧入固定する。
【０２２３】
受けナット２９３は、支持棒２９０のネジ部２９０ａと螺合し、床面との隙間を２ｍｍにして、木ネジで床材２８７に固定する。
【０２２４】
間仕切り壁２８８の下枠材２８８ａと台板２９２を、２ｍｍ厚ゴムシート２９４を挟んで、木ネジで固定し、間仕切り壁２８８の上枠材２８８ｂに６０ｍｍ幅２ｍｍ厚のポリエチレン発泡体２９５を取り付け、天井板２９６を挟んで、天井受け桟２９６に木ネジで固定する。
【０２２５】
間仕切り壁２８８の縦枠材と間柱の間に、６０ｍｍ幅×２ｍｍ厚ポリエチレン発泡体を挟んで、縦枠材と間柱とを木ネジで固定する。得られた間仕切り壁構造の重量衝撃音を測定し、結果を表３に示した。
【０２２６】
参考例１０
参考例９の床基版と床材を使用するが、壁支持材が参考例７と同じで、参考例９と同じ支持棒及び受けナット付台板を使用して、床材の貫通孔に差し込み、台板と床材の隙間が約２mmとなるように高さ調整ネジで調整し、台板と床材を木ネジで固定する。
【０２２７】
次いで、間仕切り壁の下枠材と台板を木ネジで固定し、間仕切り壁の上枠材を天井板と天井受け桟にネジ釘で固定する。間仕切り壁の縦枠材と間柱とを木ネジで固定する。得られた間仕切り壁構造の重量床衝撃音を測定し、表３に示した。
【０２２８】
比較例１
参考例２のように、直貼床をＡＬＣ床版上に形成し、貫通孔及び壁支持材を設けないで、直接、間仕切り壁の下枠材を直貼床にビス固定し、間仕切り壁の上枠材を、天井板を挟んだ状態で、天井受け桟にビス固定して、壁構造を施工し、この壁構造を重量床衝撃音の測定に供試した。結果を表２に示す。
【０２２９】
比較例２
比較例１の実験終了後に、比較例１に用いた間仕切り壁を上下階共に取り外して供試した。重量床衝撃音の測定結果を、表２に示した。
【０２３０】
【表２】
0003607593.tif 000004
【０２３１】
比較例３
図２６に示すような壁構造３０１を施工する。
参考例６の床支持材２０２で支えられた、貫通孔を明ける前の床２０８に、間仕切り壁３０２の下枠材３０２ａを直接床２０８にビスで固定し、間仕切り壁３０１の上枠材を天井板と天井受け桟に固定し、間仕切り壁３０１縦枠を間柱に固定した。得られた壁構造の重量床衝撃音を測定し、表３に示した。
【０２３２】
【表３】
0003607593.tif 000005
【０２３３】
参考例１は、ＡＬＣ床基版上に、予じめ壁支持材で支持した間仕切り壁を設けた壁先行工法に於ける、間仕切り壁の支持をした例である。比較例２は、ＡＬＣ床基版上に床を施工し床上に間仕切り壁を設けていない例である。比較例１は、ＡＬＣ床基版に床を施工し、床上に壁支持材を設けずに、間仕切り壁を設けた例である。
【０２３４】
表２に示すように、比較例１の壁構造は、比較例２のものと比べ、６３Ｈｚで４ｄＢ、１２５Ｈｚで５ｄＢ、間仕切り壁を設ける事で悪化している。参考例１の間仕切り壁構造は、比較例２のものと比べ、ほとんど６３Ｈｚ、１２５Ｈｚで変化していない。つまり、間仕切り壁による悪化を防止している事が判る。
【０２３５】
参考例２の間仕切り壁構造は、ＡＬＣ床基版上に床を施工し、床に貫通穴を設けて、床基版上に壁支持材を設けて、間仕切り壁を支持した例である。この例では、６３Ｈｚ、１２５Ｈｚでの悪化は認められず、比較例２とほぼ同等の結果となっている。つまり、間仕切り壁による悪化は見られない。
【０２３６】
参考例５の間仕切り壁構造は、ＡＬＣ床基版上に、市販の二重床と遮音材を施工し、間仕切り壁直下の床下をの緩衝材で支持した例である。比較例２の壁構造と比べ、６３Ｈｚ、１２５Ｈｚ共３ｄＢの改善効果が見られた。
【０２３７】
参考例３の間仕切り壁構造は、ＡＣ床基板上に上下板材間に、複数の制振要素及びバネ要素を並列で設けた床支持材上に、床を形成し、床に貫通孔を設けて、間仕切り壁の壁支持材を、固有振動数１３０Ｈｚとした例である。この例のものは、比較例２と比べ、６３Ｈｚで８ｄＢ、１２５Ｈｚで３ｄＢ改善できている。
【０２３８】
参考例４の間仕切り壁構造は、床支持材、間仕切り壁支持材を共に上下板材間に複数の制振要素及びバネ要素を並列で設けた物で支持した例である。比較例２と比べて、６３Ｈｚで９ｄＢ、１２５Ｈｚで６ｄＢと非常に大きく改善できている。
【０２３９】
実施例１の間仕切り壁構造は、参考例４と同じ床支持、間仕切り壁支持であるが、壁支持材設置間に床貫通口を各２ケ所づつ設け、開口状態のままで、間仕切り壁を取付けた例である。参考例４よりもさらに改善でき、比較例２と比べ、６３Ｈｚで１１ｄＢ、１２５Ｈｚで１０ｄＢ改善され、非常に大きな改善効果がある事が判る。
【０２４０】
また、施工面では、参考例３の間仕切り壁構造では、支持棒が保護カバーで覆われているので、台板と支持棒又は支持棒と壁支持材の螺合部で、保護カバーが螺合部を押し、螺合部のガタツキ、ユルミが防止されて、異音の発生がなくなった。また、螺合部の接着剤による固着作業は不要であった。
【０２４１】
参考例６の間仕切り構造は、ＡＬＣ床版を床基版とし、床基版上に床支持材を固定し、その上にパーチクルボード、遮音材、パーチクルボードを積層固定し、フローリング材を釘止めして、床を作り、間仕切り壁設置部に貫通孔を設け、間仕切り壁の壁支持材を床に固定し、台板に間仕切り壁の下枠材を固定し、間仕切り壁の上枠材を天井板とともに天井受け桟に固定し、間仕切り壁の縦枠材を間柱に固定して、間仕切り壁を設置した例である。
【０２４２】
参考例６では、施工時の高さ調整は不要であった。同一床構成の比較例３と比べ、明らかに良くなっており、間仕切り壁での悪影響は解消されて、目標のＬH −５５はクリアーできている。比較例３より従来の乾式二重床と衝撃緩衝パットを使用した床は重量衝撃音の低減で明らかに相違することが判る。
【０２４３】
参考例７は、参考例６の床と同一構成で壁支持材、支持棒、台板が１ケ当りの面積が１．５倍になり、間仕切壁の枠と台板、天井受け桟、間柱との間にＥＰＴ発泡体を振動絶縁材として使った例である。施工時の高さ調整は、不要であった。参考例６よりも少し良い結果が得られ、ＬH −５５をクリアーしている。
【０２４４】
参考例８では、参考例６及び７と比べ、床を支持する床支持材を、下板のないタイプとした点と、壁支持材が硬度の異なる二層構造パイプとＥＶＡ発泡体の積層品である点と、間仕切り壁との振動絶縁が下枠材と台板のみとなった点が相違している。この例では、施工時の高さ調整は不要であった。この場合も低周波音の低減が大きく、間仕切り壁の悪影響がないことが判る。また、２ｄＢ許容ではあるが、ＬH −５５をクリアーしている。
【０２４５】
実施例２の間仕切り壁構造は、参考例６と相違して、床の貫通孔穴を各壁支持材の設置部の間に各１個計８個開口のまま設けた例である。この例では、施工時の高さ調整は不要であった。参考例６よりも更に２ｄＢ良くなり、工夫次第では、ＬH −５０も可能性があるレベルになった。
【０２４６】
参考例９の間仕切り壁構造は、床基版を１５０mm厚ＲＣ床版とした例である。床支持材や床構成は参考例６と同じである。壁支持材は参考例６と同じであるが、支持棒上部には高さ微調整のネジを設け、台板は受ナットを設け、保護カバーにより螺合部のガタツキゆるみは無く、螺合部固着用接着剤は使う必要がなかった。間仕切り壁の下枠材と台板との間に、ＥＰＴ発泡体を振動絶縁材として設け、間仕切り壁の上枠材と天井受け桟、間仕切り壁の縦枠材と間柱の間に発泡ポリエチレンを振動絶縁材として設けた例である。また、高さ調整は、８ケ所中１ケ所で行った。
【０２４７】
参考例９は、床基版自体の性能もよいこともあって、ＬH −５０をクリアーしている。間仕切り壁による悪影響は受けていないと判断できる。
【０２４８】
参考例１０は、参考例９と同じ床基版に同じ床が形成され、壁支持材は参考例７と同じであり、支持棒、台板は参考例９と同じである。保護カバーにより螺合部のガタツキ、ゆるみはなく、接着剤による固着は不要であった。また、間仕切り壁の各枠との振動絶縁は行っていない。高さ調整は不要であった。
【０２４９】
その結果、参考例１０では、重量床緩衝音も参考例９と同様ＬH −５０をクリアーしている。間仕切り壁による悪影響は受けていないと判断できる。
【０２５０】
以上のように、本発明の間仕切り壁構造は、床工法にとらわれる事なく、間仕切り壁が、床基版本来の防音性を悪化させる事がない事が判る。
【０２５１】
また、本発明の間仕切り壁構造は、床支持、壁支持を板材に複数の制振要素又はバネ要素を並列で設けて支持する事で、間仕切壁を設置しても、重量床衝撃音を悪化させることなく、却って大幅に改善できる。
【０２５２】
さらに、本発明の間仕切り壁構造は、床貫通口を、間仕切り壁の下部に開口状態のままで設ける事で、重量床衝撃音をより一層改善できる。
【０２５３】
本発明の間仕切り壁構造は、住居空間を仕切る間仕切り壁構造として、広く使用できる。
【０２５４】
【発明の効果】
本発明の間仕切り壁構造によれば、床基版と間仕切り壁の下枠材との間又は間仕切り壁の直下の床材と床基版との間に、１０〜１５０Ｈｚの固有振動数を示す所定の壁支持材を介在させ、所定の貫通孔及び貫通孔の間の床貫通開口を設けているので、間仕切り壁の重量床衝撃音に与える悪影響が抑えられ、重量床衝撃音が著しく低減する。
【図面の簡単な説明】
【図１】本発明にかかる１例の間仕切り壁構造の要部垂直断面図である。
【図２】本発明にかかる他の例の間仕切り壁構造の要部垂直断面図である。
【図３】本発明にかかる更に他の例の間仕切り壁構造の要部垂直断面図である。
【図４】本発明にかかる更に他の例の間仕切り壁構造の要部垂直断面図である。
【図５】本発明にかかる更に他の例の間仕切り壁構造の要部垂直断面図である。
【図６】本発明の１例の間仕切り壁構造で用いた床材の平面図である。
【図７】本発明にかかる一例の支持棒の断面図である。
【図８】本発明にかかる他の例の支持棒の断面図である。
【図９】本発明にかかる一例の支持棒と受けナットの組み合わせを示す断面図である。
【図１０】（ａ）は、参考例１にかかる壁支持材の平面図であり、（ｂ）は、（ａ）の壁支持材の断面図である。
【図１１】（ａ）は、参考例２にかかる壁支持材の平面図であり、（ｂ）は、（ａ）の壁支持材の断面図である。
【図１２】（ａ）は、参考例３にかかる壁支持材の平面図であり、（ｂ）は、（ａ）の壁支持材の断面図である。
【図１３】（ａ）は、参考例４にかかる壁支持材の平面図であり、（ｂ）は、（ａ）の壁支持材の断面図である。
【図１４】（ａ）は、参考例４にかかる壁支持材の平面図であり、（ｂ）は、（ａ）の壁支持材の側面図である。
【図１５】参考例６にかかる間仕切り壁構造の要部垂直断面図である。
【図１６】（ａ）は、参考例６にかかる壁支持材の平面図であり、（ｂ）は、（ａ）の壁支持材の断面図である。
【図１７】参考例６にかかる保護カバーの横断面図であり、（ｂ）は、（ａ）の保護カバーの縦断面図である。
【図１８】参考例７にかかる間仕切り壁構造の要部垂直断面図である。
【図１９】参考例７にかかる壁支持材の平面図であり、（ｂ）は、（ａ）の壁支持材の断面図である。
【図２０】参考例７にかかる保護カバーの横断面図であり、（ｂ）は、（ａ）の保護カバーの縦断面図である。
【図２１】参考例８にかかる間仕切り壁構造の要部垂直断面図である。
【図２２】（ａ）は、参考例８にかかる壁支持材の平面図であり、（ｂ）は、（ａ）の壁支持材の断面図である。
【図２３】実施例２にかかる間仕切り壁構造の要部垂直断面図である。
【図２４】参考例９にかかる間仕切り壁構造の要部垂直断面図である。
【図２５】参考例９にかかる保護カバーの横断面図であり、（ｂ）は、（ａ）の保護カバーの縦断面図である。
【図２６】比較例３にかかる壁構造の要部垂直断面図である。
【図１】
0003607593.tif 000006
【図２】
0003607593.tif 000007
【図３】
0003607593.tif 000008
【図４】
0003607593.tif 000009
【図５】
0003607593.tif 000010
【図６】
0003607593.tif 000011
【図７】
0003607593.tif 000012
【図８】
0003607593.tif 000013
【図９】
0003607593.tif 000014
【図１０】
0003607593.tif 000015
【図１１】
0003607593.tif 000016
【図１２】
0003607593.tif 000017
【図１３】
0003607593.tif 000018
【図１４】
0003607593.tif 000019
【図１５】
0003607593.tif 000020
【図１６】
0003607593.tif 000021
【図１７】
0003607593.tif 000022
【図１８】
0003607593.tif 000023
【図１９】
0003607593.tif 000024
【図２０】
0003607593.tif 000025
【図２１】
0003607593.tif 000026
【図２２】
0003607593.tif 000027
【図２３】
0003607593.tif 000028
【図２４】
0003607593.tif 000029
【図２５】
0003607593.tif 000030
【図２６】
0003607593.tif 000031